(57)【要約】【課題】固定体に出入する移動体の正否を無線電波通信を用いて判別しコントロールするためのシステムであって、移動体は固定体にある距離だけ近接した場合にのみ電源の送受信を行うように構成され、これにより移動体時の電源消費を低減し、長期間にわたり移動体の正否コントロールができ、信頼性向上の図れるウェイクアップ方式無線通信システムを提供する。【解決手段】固定体側に固定される固定機１からは常時又は一定時間ごとにアンテナ３１の電波を送信する。この送信電波は固定体側に近接してきた移動体が受信する。移動体はその移動機内で電波の受信処理を行い、かつ一定の時間単位毎に固定機１側に電波を送信する。この送信電波は固定機１のアンテナ３１を介して送受信波コントロール部に入る。一方、移動体の近接はモーション検知部４のセンサ６によって確認される。センサ６の検知信号と送受信波コントロール部３からの移動体の識別信号は判定部５に入り正否判定が行われる。不明の場合は警報表示部が動作異常を検知する。【選択図】      図３
2005011137.tif 000002
【特許請求の範囲】
【請求項１】
固定側に設置される固定機と移動体側に設置される移動機との間で無線通信を行って前記固定機周辺に出入する前記移動体の管理を行う無線通信システムであって、該無線通信システムは、所定のタイミングで送信と受信を切り替えるスイッチ部を備えた前記固定機からの電波を、前記移動機が前記固定機に所定の距離だけ近接した場合にのみ受信し、この受信電波を前記移動機で受信し信号を復調し、この復調信号に基づき送信回路を駆動して前記固定機に送信し、前記固定機は前記移動機からの送信電波を受信し、信号処理して前記移動機の近接を検出し、前記固定機の送信と受信を切り替える前記スイッチ部を利用して前記固定機の送信信号の変調を行うことを特徴とするウェイクアップ方式無線通信システム。
【請求項２】
前記固定機の変調が振幅変調であり、前記移動機の復調が振幅復調であることを特徴とする請求項１に記載のウェイクアップ方式無線通信システム。
【請求項３】
固体側に設置される固定機と移動体側に設置される移動機との間で無線通信を行って前記固定機周辺に出入する前記移動体の管理を行うための無線通信システムであって、該無線通信システムは、常時又は所定のタイミングで発信されている前記固定機からの電波を前記移動体が前記固定機に所定距離だけ近接した場合のみ受信し、この受信電波を前記移動機で信号処理し、送信可能な信号として前記固定機に送信し、前記固定機は前記移動機からの送信電波を受信し信号処理して出力し、又は判定部に入力して出力し、これにより前記移動体の出入の許可又は不許可管理を行うことを特徴とするウェイクアップ方式無線通信システム。
【請求項４】
固体側に設置される固定機と移動体側に設置される移動機との間で無線通信を行って前記固定機周辺に出入する前記移動体の管理を行うための無線通信システムであって、該無線通信システムは、常時又は所定のタイミングで発信されている前記固定機からの電波を前記移動体が前記固定機に所定距離だけ近接した場合のみ受信し、この受信電波を前記移動機で信号処理し、送信可能な信号として前記固定機に送信し、前記固定機は移動機からの送信電波を受信し信号処理して出力し、又は判定部に入力して出力すると共に前記移動体の近接をセンサを介してモーション検知部で検知し、この検知信号を前記判定部に入力し、該検知信号と前記入力信号とにより前記移動体の種別を識別確認し、これにより前記移動体の出入の許可又は不許可管理を行うことを特徴とするウェイクアップ方式無線通信システム。
【請求項５】
移動体の出入の不許可管理において警報表示を行うことを特徴とする請求項３又は４に記載のウェイクアップ方式無線通信システム。
【請求項６】
前記移動機が、アンテナと、これに連結されて受信及び送信の切り替えを行う高周波スイッチと、受信信号を検知して電源部に制御信号を出力する電波受信処理部と、該電波受信処理部からの制御信号入力と電池からの電力供給とにより電源供給機能を発生させる安定化電源部と、該安定化電源部からの電源供給により作動する変調信号発生部及び高周波発信部と、前記変調信号発生部により高周波発信部の発信信号を変調した信号を前記高周波スイッチの切り替えによってその送信側に接続したアンテナに送信信号を送ることを特徴とする請求項３又は４に記載のウェイクアップ方式無線通信システム。
【請求項７】
前記高周波スイッチの受信側及び送信側への切り替えが、前記電波受信処理部からの処理信号の入力により又は前記変調信号発生部の発生する周波数に同期して行うかのいずれかによることを特徴とする請求項６に記載のウェイクアップ方式無線通信システム。
【請求項８】
前記変調信号発生部及び高周波発信部による変調が、前記変調信号発生部の発生周波数に同期して行われることを特徴とする請求項７に記載のウェイクアップ方式無線通信システム。
【請求項９】
前記電波受信処理部が、固定機からの受信信号の振幅復調回路からなることを特徴とする請求項６に記載のウェイクアップ方式無線通信システム。
【請求項１０】
前記移動体の識別が、前記変調信号発生部の周波数の違いによって行われることを特徴とする請求項３又は４に記載のウェイクアップ方式無線通信システム。
【請求項１１】
前記固定機が、前記移動機に電波を送信すると共に前記移動機から送信される電波を受信し、これを処理して判定部側に入力する送受信波コントロール部と、送受信の切り替えを行う高周波スイッチと、移動体の近接を確認するモーション検知部と、該モーション検知部からの検知信号と前記送受信波コントロール部からの受信処理された受信入力信号により移動体の出入可否を識別する判定部と、移動体が非許可体である場合に非許可体であることを判別し結果を出力するか又は警報表示することを特徴とする請求項３又は４に記載のウェイクアップ方式無線通信システム。
【請求項１２】
前記送受信電波コントロール部が、送信信号を形成する信号発信部と、移動機からの受信電波を処理する受信信号処理部とからなり、前記受信信号処理部は、受信電波の増幅、搬送波の混合、フィルタ、復調等とからなることを特徴とする請求項１１に記載のウェイクアップ方式無線通信システム。
【請求項１３】
固定機から移動機への送信周波数と移動機から固定機への送信周波数は同一であっても又は異なる周波数でもよいことを特徴とする請求項３又は４に記載のウェイクアップ方式無線通信システム。
【請求項１４】
前記請求項６に記載の安定化電源部からの電源供給によって作動する変調信号発生部の代りに移動体を識別するためのＩＤコードを半導体メモリ部に記憶させることを特徴とするウェイクアップ方式無線通信システム。
【請求項１５】
前記請求項１４に記載の移動機に対応する固定機として、前記請求項１１に記載の固定機の内の判定部をＣＰＵに置き換えたものからなることを特徴とする請求項１１に記載のウェイクアップ方式無線通信システム。
【発明の詳細な説明】
【０００１】
【発明の属する技術分野】
本発明は、建物等の固定側に、人や乗物等の移動体が出入する場合に、許可された移動体の出入のみを確実に行うべく固定体側と移動体側の間で無線通信によって移動体の識別を行うシステムに係り、特に、移動体側の電力の消費を極力低減して、安定した、かつ長時間にわたる識別管理を確実に行わせるようにしたウェイクアップ方式無線通信システムに関する。
【０００２】
【従来の技術】
例えば、商品を保管する倉庫には許可者のみが出入しないと種々のトラブルが発生する。このため、不審者の出入を防止するための色々の手段が従来より採用されている。例えば、監視カメラを設置するとか出入者に特別のＩＤカードを付与して出入口で管理を行うかするものが挙げられる。これ等のものよりより進んだ技術として同一出願人による特許文献１や特許文献２である。
【０００３】
［特許文献１］
特開２００１−１４５６１号公報（全頁）
［特許文献２］
特開２００２−１９６０７３号公報（全頁）
【０００４】
【発明が解決しようとする課題】
監視カメラやＩＤカード付与に関する従来技術では不審者の的確の判別が困難である。また、ＩＤカードの場合出入口を限定する必要があり、制限があると共に、荷物の荷捌き作業が円滑に行かなくなる問題点がある。一方、前記の特許文献１の特開２００１−１４５６１号公報の「不審者探知システム」は出入許可者にのみ認識用機器を取り付け、そのＩＤ信号の有無により不審者を識別するもので不審者探知としては効果的のものであるが、認識用機器からの送信電波が定時出力されているため、その電力消費が大きく、実際の必要時において電力切れとなり、不作動となる頻度が大きい。また、特許文献２の特開２００２−１９６０７３号公報の「探知システム及び認識用タグ」もほぼ前記の特許文献１と同様のものであり、電力消費の問題点がある。
【０００５】
本発明は、以上の問題点を解決するもので不審者の識別が確認出来ると共に電力消費が少なく確実で、かつ長期間にわたる出入管理が行われると共に、アナログ的識別やデジタル的識別が可能であり、識別性の向上が図れるウェイクアップ方式無線通信システムを提供することを目的とする。
【０００６】
【課題を解決するための手段】
本発明は、以上の目的を達成するために、固定側に設置される固定機と移動体側に設置される移動機との間で無線通信を行って前記固定機周辺に出入する前記移動体の管理を行う無線通信システムであって、該無線通信システムは、所定のタイミングで送信と受信を切り替えるスイッチ部を備えた前記固定機からの電波を、前記移動機が前記固定機に所定の距離だけ近接した場合にのみ受信し、この受信電波を前記移動機で受信し信号を復調し、この復調信号に基づき送信回路を駆動して前記固定機に送信し、前記固定機は前記移動機からの送信電波を受信し、信号処理して前記移動機の近接を検出し、前記固定機の送信と受信を切り替える前記スイッチ部を利用して前記固定機の送信信号の変調を行うことを特徴とする。これにより、移動機の近接を確認できると共に移動機側からの電波の送信を近接時以外には行わない。これにより、電力消費の低減を図ることができる。
【０００７】
また、請求項２の発明は、前記固定機の変調が振幅変調であり、前記移動機の復調が振幅復調であることを特徴とする。
【０００８】
また、請求項３の発明は、固体側に設置される固定機と移動体側に設置される移動機との間で無線通信を行って前記固定機周辺に出入する前記移動体の管理を行うための無線通信システムであって、該無線通信システムは、常時又は所定のタイミングで発信されている前記固定機からの電波を前記移動体が前記固定機に所定距離だけ近接した場合のみ受信し、この受信電波を前記移動機で信号処理し、送信可能な信号として前記固定機に送信し、前記固定機は前記移動機からの送信電波を受信し信号処理して出力し、又は判定部に入力して出力し、これにより前記移動体の出入の許可又は不許可管理を行うことを特徴とする。固定機からは常時又は所定のタイミングで電波が送信されているが固定機側は電力容量がもともと大きいため電力の消費の問題は生じない。本発明の場合、固定機周辺に近接した場合にのみ移動機が作動し固定機側に送信するように構成される。これにより、移動機の電力の消費が防止され、長時間の使用が可能になる。また、固体機側も移動機側も送受信された電波の処理が確実に行われるように構成されているため、安定した送受信が行われ、信頼性の高い不審者識別が行われる。
【０００９】
また、請求項４の発明は、固体側に設置される固定機と移動体側に設置される移動機との間で無線通信を行って前記固定機周辺に出入する前記移動体の管理を行うための無線通信システムであって、該無線通信システムは、常時又は所定のタイミングで発信されている前記固定機からの電波を前記移動体が前記固定機に所定距離だけ近接した場合のみ受信し、この受信電波を前記移動機で信号処理し、送信可能な信号として前記固定機に送信し、前記固定機は移動機からの送信電波を受信し信号処理して出力し、又は判定部に入力して出力すると共に前記移動体の近接をセンサを介してモーション検知部で検知し、この検知信号を前記判定部に入力し、該検知信号と前記入力信号とにより前記移動体の種別を識別確認し、これにより前記移動体の出入の許可又は不許可管理を行うことを特徴とする。移動体の近接を検知するモーション受部を用いる。これにより、移動機を保持していない移動体のドア等のない場所での出入管理がより正確にできる。
【００１０】
また、請求項５の発明は、移動体の出入の不許可管理において警報表示を行うことを特徴とする。不許可者侵入の場合は警報表示が行われるため確実な侵入防止ができる。
【００１１】
また、請求項６の発明は、前記移動機が、アンテナと、これに連結されて受信及び送信の切り替えを行う高周波スイッチと、受信信号を検知して電源部に制御信号を出力する電波受信処理部と、該電波受信処理部からの制御信号入力と電池からの電力供給とにより電源供給機能を発生させる安定化電源部と、該安定化電源部からの電源供給により作動する変調信号発生部及び高周波発信部と、前記変調信号発生部により高周波発信部の発信信号を変調した信号を前記高周波スイッチの切り替えによってその送信側に接続しアンテナ側に送信信号を送ることを特徴とする。移動機が以上の構成からなるため固定機側からの送信電波の処理と固定機側への送信電波の処理が確実に行われる。
【００１２】
また、請求項７の発明は、前記高周波スイッチの受信側及び送信側への切り替えが、前記電波受信処理部からの処理信号の入力により又は前記変調信号発生部の発生する周波数に同期して行うかのいずれかによることを特徴とする。以上の構成により高周波スイッチの切り替えが確実に行われ、移動機側の送受信の安定化が図れる。
【００１３】
また、請求項８の発明は、前記変調信号発生部及び高周波発信部による変調が、前記変調信号発生部の発生周波数に同期して行われることを特徴とする。変調信号発生部と高周波発生部とによる変調が変調信号発生部の発生周波数に同期して行われるため、規則的に変調を行うことができる。
【００１４】
また、請求項９の発明は、前記電波受信処理部が、固定機側からの受信信号の振幅復調回路からなることを特徴とする。電波受信処理部が以上の構成からなるため簡単な回路で受信信号の電源部への入力が確実に行われる。
【００１５】
また、請求項１０の発明は、前記移動体の識別が、前記変調信号発生部の周波数の違いによって行われることを特徴とする。移動体の識別を周波数の違いに対応させて行わせるため、確実な識別が可能になる。また、識別形成も比較的容易にできる。
【００１６】
また、請求項１１の発明は、前記固定機が、前記移動機に電波を送信すると共に前記移動機から送信される電波を受信し、これを処理して判定部側に入力する送受信波コントロールと、送受信の切り替えを行う高周波スイッチと、移動体の近接を確認するモーション検知部と、該モーション検知部からの検知信号と前記送受信波コントロール部からの受信処理された受信入力信号により移動体の出入可否を識別する判定部と、移動体が非許可体である場合に非許可体であることを判別し結果を出力するか又は警報表示することを特徴とする。固定機の構成を以上の構成にすることにより、異常が発生したことを広範囲に通知することができる。
【００１７】
また、請求項１２の発明は、前記送受信電波コントロール部が、送信信号を形成する信号発信部と、移動機からの受信電波を処理する受信信号処理部とからなり、前記受信信号処理部は、受信電波の増幅、搬送波の混合、フィルタ、復調等とからなることを特徴とする。以上の構成により、送信電波、受信電波の処理が確実に行われる。
【００１８】
また、請求項１３の発明は、固定機から移動機への送信周波数と移動機から固定機への送信周波数は同一であっても又は異なる周波数でもよいことを特徴とする。周波数の選定の自由度が高く電波法上の異なる分類の周波数を使用することができ構成要素の構築性の向上が図れる。
【００１９】
また、請求項１４の発明は、前記請求項４に記載の安定化電源部からの電源供給によって作動する変調信号発生部の代りに移動体を識別するためのＩＤコードを半導体メモリ部に記憶させることを特徴とする。移動体の識別として１チップマイコン等によるデジタルＩＤコードを用いることにより前記のアナログ周波数識別によるものより識別性の向上が図れ、かつ色々の識別データを形成することができ機能の向上が図れる。
【００２０】
また、請求項１５の発明は、前記請求項１２に記載の移動機に対応する固定機として、前記請求項９に記載の固定機の内の判定部をＣＰＵに置き換えたものからなることを特徴とする。判定部をＣＰＵにすることによりデジタル信号の取扱いが可能になり、一層の識別性の向上と処理時間の向上が図れる。
【００２１】
【発明の実施の形態】
以下、本発明のウェイクアップ方式無線通信システムの実施の形態を図面を参照して詳述する。図１は請求項１に対応するウェイクアップ方式無線通信システムの概要構成を示すブロック図である。固定機１には送受信スイッチ部８と復調部５０と移動機近接検出部５１及びアンテナ３１が設けられ、移動機２には送受信切換スイッチ部１２と復調部５２とアンテナ１１が設けられている。固定機１からは常時アンテナ３１から送信電波が発信され、この送信電波は移動機が固定機１から離れてＡの位置から固定機１と所定距離だけ離れたＢで示す近接位置にきた場合に移動機２側に受信される。移動機２では固定機１からの送信信号をアンテナ１１及び送受信切換スイッチ１２を介して受信し、内部の復調部５２にて復調した後、送受信切換スイッチ部１２及びアンテナ１１を介し固定機１に電波を送る。固定機１ではこれをアンテナ３１及び送受信切換スイッチ部８で受信し、復調部５０により信号処理し、移動機２の近接したことを移動機近接検出部５１により検出する。なお、前記の復調は振幅復調によるが、これに限定するものではない。
【００２２】
図２は請求項３に対応する固定機１の概要構成を示すブロック図である。固定機１は、大別すると送受信波コントロール部３と、図略の高周波スイッチ又は分波器、判定部５と等とからなる。送受信波コントロール部３は後に図６により詳しく説明するが、固定機１から移動機２に向かって送信する信号を形成する信号発信部９と、移動機２からの受信信号を処理する受信処理部１０とからなる。なお、この結果は外部に出力することができる。また、高周波スイッチ８（図６に示す）や分波器４６（図７に示す）は送信と受信の切り替えを行うものであり、図６の場合は所定時間で送信と受信を繰返し行う切替え式のものからなる。図７の分波器４６は周波数の違いにより送信と受信を分離するものである。また、判定部５は移動体の識別を行うものでありこの場合は信号電波処理部１０とに連結し、移動体の識別判定を行うものである。なお、判定結果は固定機１から外部に出力することも可能である。
【００２３】
図３は請求項４に示す固定機１の概要構成を示すブロック図である。固定機１は、大別すると送受信波コントロール部３と、図略の高周波スイッチ又は分波器と、モーション検知部４と、判定部５と、センサ６と、警報表示部７等とからなる。送受信波コントロール部３は後に図６により詳しく説明するが、固定機１から移動機２に向かって送信する信号を形成する信号発信部９と、移動機２からの受信信号を処理する受信信号処理部１０とからなる。なお、この結果は外部に出力することができる。また、高周波スイッチ８（図６に示す）は送信と受信の切り替えを行うものであり、図６の場合は所定時間で送信と受信を繰返し行うクロック式のものからなる。図７の分波器４６は周波数の違いにより送信と受信を分離するものである。モーション検知部４はセンサ６からの移動体の移動状態検知信号を受けて移動体の有無の判断を行う機能を有するものである。また、判定部５は移動体の有無又は識別を行うものでありモーション検知部４と受信信号処理部１０とに連結し、両者の信号に基づき移動体の出入の許可又は不許可管理を行うものである。また、警報表示部７は異常時（許可しない移動体の出力）において警報、警告、警光等を発するものからなる。また、判定結果は固定機１ａから外部に出力することも可能である。
【００２４】
次に、移動機２の詳細構造を図４のブロック図により説明する。移動機２はアンテナ１１に連結する高周波スイッチ１２と、固定機１からの受信信号を検知して安定化電源部１３に制御信号を出力する電波受信処理部１４と、これからの制御信号入力と電池１５からの電源供給によって電波供給機能を発生させる前記安定化電源部１３と、この安定化電源部１３からの電源供給により作動する変調信号発生部１６と、同じく電源供給により作動する高周波発信部１７と、この高周波発信部１７からの信号と変調信号発生部１６からの信号で変調し、変調波を形成し、これを固定機１側への送信信号とする電波送信部１８等とからなる。
【００２５】
電波受信処理部１４は、図４に示すように高周波スイッチ１２からの受信電波の搬送波を分離するフィルタ１９と、これに搬送波を復調する復調２０と、フィルタ２１や増幅２２を介して復調された信号を微分する微分２３と、微分信号をステップ状の検知信号とするモノマルチメータ２４等とからなる。なお、この検知信号は安定化電源部１３に入力されると共に直接高周波スイッチ１２にも入力される。
【００２６】
安定化電源部１３の出力は、所定時間ごとに変調信号（クロック信号）を発生する変調信号発生部１６及び高周波発信部１７と供給され、高周波発信部１７の搬送波は変調２５により変調される。次に、フィルタ２６を介し高周波スイッチ１２に送られる。なお、高周波スイッチ１２の切り替えは前記検知信号の直接の入力によっても行われる。高周波スイッチ１２の送信側に入力した信号は電波送信部１８によりアンテナ１１を介して固定機１に送られる。なお、移動機２が固定機１に近づかない間は移動機２から固定機１への送信は行われないように安定化電源部１３や高周波スイッチ１２は調整されている。
【００２７】
図５は図４に示した移動機２のブロック図の内高周波スイッチ１２の部分を分波器４６に入れ替えた移動機２のブロック図を示すものであり、その他の構成はほぼ同じものからなる。前記のように高周波スイッチ１２の切り替えは安定化電源部１３からの検知信号によって行われるが、この場合は送受信の切り替えは必要ないため、より低消費電力化が可能になる。
【００２８】
図６に示すように、固定機１の信号発信部９は発信電源部２７と増幅２８及びフィルタ２９からなり、高周波スイッチ８の送信側に連結される。高周波スイッチ８は前記のようにクロック３０により一定時間毎に送信側と受信側の切り替えが行われる。また、送信側の電波はアンテナ３１により外部に発信されているが、前記のように移動機２はある距離内に入らない以上この送信電波を受信しない。
【００２９】
受信電波処理部１０は高周波スイッチ８の受信側に連結され、増幅３２、フィルタ３３、発信部３４に連結される混合３５、フィルタ３６、復調３７、フィルタ３８、増幅３９、コンパレータ４０、バッファ４１等とからなり移動機のＩＤコードのステップ波に形成された信号となり判定部５側に入力される。
【００３０】
モーション検知部４は前記したようにセンサ６に連結され、移動機２の設けてある移動体が固定体側に所定の距離範囲内に近づいた場合にセンサ６からの検知信号により動作するもので移動体の移動状態の判別を行い、その判別信号を判定部５に入力するものである。
【００３１】
判定部５は以上の２つの入力信号によって移動体が許可者であるか不許可者であるかを判定するものである。判定手段としては色々の方法があるが、移動体側から許可される移動体であるという入力信号があり、かつセンサ６による近接確認信号が入力されていることが最低の判定条件となることは勿論である。この判定部５による判定は判定結果側に出力される。また、受信信号処理部１０のバッファ処理済のＩＤ信号も出力される。なお、この出力先はパソコン等の電子機器等である。
【００３２】
警報表示部７は判定部５により判定された移動体が許可されない不審物である場合に警報、警音、警光等を発するもので異常確認を伝送するためのものである。
【００３３】
図７は図６に示した固定式１の高周波スイッチ８を分波器４６とし、判定部５の代りにＣＰＵ４５を用いたものであり、その他の構成は変らない。ＣＰＵ４５を用いたのはＩＤコードの検出以外の各種の機能を可能にするためである。また、分波器４６と増幅３２との間にフィルタ４７が介在した点と発信部２７と増幅２８との間に変調４８が介在した点も図５のものと相異するが、機能上の差は殆どない。
【００３４】
以上のように、本発明の固定機１と移動機２とにより不審物の出入管理が可能となると共に、移動機２は固定機１に近接した場合にのみ作動するため電力消費が大幅に低減し、電波の交換頻度も大幅に少なくなる。これにより、不審物の出入コントロールの信頼性の向上が図れる。
【００３５】
図８は前記の移動機２の構成要素の一部のみが異なる移動機２のブロック図を示す。図８において図４，図５と重複する構成要素については符号を同一としその重複説明を省略する。この移動機２は図３等に示した移動機２等の変調信号発生部１６の箇所をメモリを内蔵するマイコン１６ａにしたものである。なお、その他の相異箇所はマイコン１６ａと変調２５との間にバッファ４９を入れ、図４等におけるスイッチを除去した点と高周波発信部１７と変調２５との間にバッファ４２が介在し、変調２５に続くフィルタ２６と高周波スイッチ１２との間に増幅４３及びフィルタ４４を介在させた点が相異するが、これ等は図４等のものと機能上において大きな相異はない。以上のようにこの移動機２ではマイコン１６ａを用い、移動体をデジタルＩＤコードによって識別し得ようにすると共に容量の大きなＩＤコードを用いることにより移動体２の多くの種別を更に正しく識別し得るその他のコードを入力することができる。これにより識別性の向上が図れると共に各種機能の向上が図れる。
【００３６】
【発明の効果】
以上のように本発明によれば、移動体の識別が正確にでき、不審者不審物の出入管理が確実に行われると共に、移動体が固定側にある距離以内に近づいた時にのみ相互の電波の送受信が行われるように構成されるため電源の消費が大幅に低減し、電力消費率を大幅に低減できる効果が上げられる。
【図面の簡単な説明】
【図１】本発明のウェイクアップ方式無線通信システムの構成を示すブロック図である。
【図２】本発明のウェイクアップ方式無線通信システムに用いられる固定機の構成を示すブロック図である。
【図３】本発明のウェイクアップ方式無線通信システムに用いられる固定機の構成を示すブロック図である。
【図４】本発明のウェイクアップ方式無線通信システムに用いられる移動機の構成要素を示すブロック図である。
【図５】本発明のウェイクアップ方式無線通信システムに用いられる他の移動機の構成要素を示すブロック図である。
【図６】本発明のウェイクアップ方式無線通信システムに用いられる固定機の構成要素を示すブロック図である。
【図７】本発明のウェイクアップ方式無線通信システムに用いられる他の固定機の構成要素を示すブロック図である。
【図８】本発明のウェイクアップ方式無線通信システムに用いられるデジタルＩＤコードを用いた移動機の構成要素を示すブロック図である。
【符号の説明】
１      固定機
２      移動機
３      送受信波コントロール部
４      モーション検知部
５      判定部
６      センサ
７      警報表示部
８      高周波スイッチ
９      信号発信部
１０    受信信号処理部
１１    アンテナ
１２    高周波スイッチ
１３    安定化電源部
１４    電波受信処理部
１５    電池
１６    変調信号発生部
１６ａ  マイコン
１７    高周波発信部
１８    電波送信部
１９    フィルタ
２０    復調
２１    フィルタ
２２    増幅
２３    微分
２４    モノマルチメータ
２５    変調
２６    フィルタ
２７    発信部
２８    増幅
２９    フィルタ
３０    クロック
３１    アンテナ
３２    増幅
３３    フィルタ
３４    発信部
３５    混合
３６    フィルタ
３７    復調
３８    フィルタ
３９    増幅
４０    コンパレータ
４１    バッファ
４２    バッファ
４３    増幅
４４    フィルタ
４５    ＣＰＵ
４６    分波器
４７    フィルタ
４８    変調
４９    バッファ
５０    復調部
５１    移動機近接検出部
５２    復調部
【図１】
2005011137.tif 000003
【図２】
2005011137.tif 000004
【図３】
2005011137.tif 000005
【図４】
2005011137.tif 000006
【図５】
2005011137.tif 000007
【図６】
2005011137.tif 000008
【図７】
2005011137.tif 000009
【図８】
2005011137.tif 000010